(57)【要約】【課題】カメラのホールド性を高め、シャッターボタンを押したときに、カメラが動き難い構造とし、手振れの発生を防ぐようにしたカメラ装置を提供する。【解決手段】カメラ本体１の上面１ｂの中心から一方に偏った位置に、シャッターボタン３が配設される。カメラ本体１の下面１ｄのシャッターボタン３と対向する位置に、サブグリップ１０が突出自在に配設される。撮影時には、サブグリップ１０を突出させる。サブグリップ１０が突出状態のときには、親指と中指でカメラ本体１を掴み、薬指と小指をサブグリップに乗せて、カメラ本体を安定してホールドすることができる。この状態で人差し指でシャッターボタン３を押せば、安定した状態でシャッターを切ることができ、手振れが殆ど生じなくなる。【選択図】図３
2007271807.tif 000002
【特許請求の範囲】
【請求項１】
カメラ本体の上面の中心から一方に偏った位置にシャッターボタンが配設されたカメラ装置において、
前記カメラ本体の下面の前記シャッターボタンと対向する位置に、突出自在に配設されたサブグリップを設け、
撮影時に前記カメラ本体から前記サブグリップを突出させ、前記カメラ本体をホールドさせるようにしたことを特徴とするカメラ装置。
【請求項２】
前記サブグリップは、前記カメラ本体内にスライドして収納されることを特徴とする請求項１に記載のカメラ装置。
【請求項３】
前記サブグリップは、前記カメラ本体内に回動して収納されることを特徴とする請求項１に記載のカメラ装置。
【請求項４】
前記サブグリップの突出状態あるいは収納状態を検出する検出手段を備え、
電源のオフ状態において、前記検出手段は、前記サブグリップが収納状態から突出状態に遷移したことを検出すると、電源をオン状態とすることを特徴とする請求項１に記載のカメラ装置。
【請求項５】
前記電源をオン状態としたときに、動作モードを撮影モードに設定することを特徴とする請求項４に記載のカメラ装置。
【請求項６】
前記電源がオン状態のときに、前記検出手段は、前記サブグリップが突出状態から収納状態に遷移したことを検出すると、電源をオフ状態とすることを特徴とする請求項４に記載のカメラ装置。
【請求項７】
電源のオン状態において、前記検出手段は、前記サブグリップが収納状態から突出状態に遷移したことを検出すると、動作モードを撮影モードに設定し、前記サブグリップが突出状態から収納状態に遷移したことを検出すると、動作モードを再生モードに設定することを特徴とする請求項４に記載のカメラ装置。
【発明の詳細な説明】
【技術分野】
【０００１】
本発明は、特に、小型のディジタルスチルカメラに用いて好適なカメラ装置に関する。
【背景技術】
【０００２】
近年、ディジタルスチルカメラの小型、軽量化が進められている。小型、軽量のディジタルスチルカメラは、携帯に便利であるという利点がある反面、撮影時にカメラを安定してホールドすることが難しく、手振れの問題を起こしやすい。
【０００３】
そこで、近年、小型、軽量のディジタルスチルカメラにおいて、手振れ補正機能が備えられたものが登場してきている。ところが、手振れ補正機能を備えることは、コストアップになると共に、小型、軽量化の障害となる。また、電子的な手振れ補正では、画像を拡大補間して手振れ補正を行っているため、画質が劣化するという問題がある。したがって、手振れ補正に頼ることなく、撮影時にカメラが動き難い構造とすることが望まれる。
【０００４】
こうしたことから、特許文献１に示されるように、収納可能なグリップが撮像装置に設けられ、片手で支持操作したとき、安定度が良く、光軸周りの振れが少なく撮影できるようにしたものが提案されている。
【０００５】
また、特許文献２に示されるように、可搬式機器の一端に回転支持を与えたＴ字形状グリップを機器本体に設けた凹部形状部に収納自在に設けるように構成されたビデオカメラのグリップが提案されている。
【特許文献１】特開平０９−００５８７９号公報
【特許文献２】特開平０６−３１１４０４号公報
【発明の開示】
【発明が解決しようとする課題】
【０００６】
しかしながら、特許文献１に示されるような収納型グリップは、ビデオカメラで片手で操作するときに、安定度を良くするようにしたものであり、シャッターボタンを押すときの手振れの発生は考慮されていない。
【０００７】
つまり、ディジタルスチルカメラでは、通常、その上側面の右側に、シャッターボタンが設けられており、シャッターボタンを右手の人差し指で操作するようにしている。ディジタルスチルカメラでの手振れは、シャッターボタンを押すときに、発生する。これに対して、ビデオカメラでは連続的に撮影が行われ、ビデオカメラの手振れは撮影の間、連続して発生する。
【０００８】
特許文献１では、その中心から突出したグリップを持って撮影する構成とされているので、その上側面にシャッターボタンを設けたとすると、片手で操作できなくなる。また、これを解決するために、収納型グリップ自体にも操作ボタンを配置すると、重複したボタンが存在してしまい、機構的にも、操作的にも、複雑になる。
【０００９】
特許文献２に示されたＴ字形状のグリップは、コンパクトではあるが、安定してカメラを保持することは難しい。また、小型のディジタルスチルカメラでは、側面の面積が十分でないことから、このようなグリップを配設することは困難である。
【００１０】
本発明は、上述の課題を鑑み、カメラのホールド性を高め、シャッターボタンを押したときに、カメラが動き難い構造としたカメラ装置を提供することを目的とする。
【課題を解決するための手段】
【００１１】
上述の課題を解決するために、本発明は、カメラ本体の上面の中心から一方に偏った位置にシャッターボタンが配設されたカメラ装置において、カメラ本体の下面のシャッターボタンと対向する位置に、突出自在に配設されたサブグリップを設け、撮影時にカメラ本体からサブグリップを突出させ、カメラ本体をホールドさせるようにしたことを特徴とするカメラ装置である。
【発明の効果】
【００１２】
本発明によれば、カメラ本体の下面のシャッターボタンと対向する位置に、サブグリップが突出自在に配設されている。撮影時には、サブグリップを突出させることで、親指と中指でカメラ本体を掴み、薬指と小指をサブグリップに乗せて、カメラ本体を安定して構えることができる。この状態で人差し指でシャッターボタンを押せば、安定してホールドされた状態でシャッターを切ることができ、手振れが殆ど生じなくなる。撮影時以外では、サブグリップを収納状態とすれば、邪魔になることはない。
【発明を実施するための最良の形態】
【００１３】
＜第１の実施形態＞
以下、本発明の実施の形態について図面を参照しながら説明する。
図１は、本発明の第１の実施形態のディジタルスチルカメラの外観構成を示すものである。図１において、カメラ本体１の前面１ａには、図１（Ａ）に示すように、レンズ２が配設される。また、カメラ本体１の上面１ｂには、シャッターボタン３、電源ボタン４が配設される。シャッターボタン３は、右手の人差し指で押して操作し易いように、レンズ２を前方に向けたときに、カメラ本体１の上面１ｂの中心から右側に偏った位置に配設されている。
【００１４】
カメラ本体１の背面１ｃには、図１（Ｂ）に示すように、モニタ５が配設される。モニタ５は、カメラで撮影を行うときに、撮影画面をモニタするもので、モニタ５としては、例えばＬＣＤ（Ｌｉｑｕｉｄ  Ｃｒｙｓｔａｌ  Ｄｉｓｐｌａｙ）ディスプレイが用いられる。また、モニタ５は、撮影した画像を再生させる場合にも用いられる。また、カメラ本体１の背面１ｃには、撮影モードボタン６ａと再生モードボタン６ｂとが設けられる。更に、各種の設定を行うための入力キー７が設けられる。
【００１５】
本発明の第１の実施形態のディジタルスチルカメラには、カメラ本体１の下面１ｄには、突出自在のサブグリップ１０が設けられる。このサブグリップ１０は、カメラ本体１の上面１ｂのシャッターボタン３と対向して、カメラ本体１の下面１ｄに設けられる。すなわち、サブグリップ１０は、シャッターボタン３の位置から下方に向けた延長線上に来るように、カメラ本体１の下面１ｄの中心から右側に偏った位置に配設されている。
【００１６】
撮影時には、図２（Ａ）に示すように、サブグリップ１０をカメラ本体１からスライドさせて、下面１ｄから突出させる。サブグリップ１０をカメラ本体１の下面１ｄから突出させると、図３に示すように、ユーザの右手の親指と中指でカメラ本体１を掴み、薬指と小指をサブグリップ１０に乗せて、カメラ本体１を安定してホールドすることができる。この状態でユーザ右手の人差し指でシャッターボタン３を押せば、安定した状態でシャッターを切ることができ、手振れが殆ど生じなくなる。
【００１７】
撮影時以外では、図２（Ｂ）に示すように、サブグリップ１０をスライドさせて、カメラ本体１内に収納させる。サブグリップ１０をカメラ本体１内に収納させれば、再生時や、カメラを持ち運ぶときに、サブグリップ１０が邪魔になることがない。
【００１８】
図４は、サブグリップ１０の収納機構の一例を示すものである。図４に示すように、カメラ本体１内に、収納部１１が設けられる。収納部１１は、カメラ本体１の下面１ｄから連通されており、カメラ本体１の下面１ｄには、収納部１１を閉塞する摺動自在の蓋部１５が設けられる。収納部１１の形状は、サブグリップ１０の外形に対応している。収納部１１の側面には、凹部１２ａ及び１２ｂが形成されている。また、収納部１１には、サブグリップの突出状態あるいは収納状態を検出する検出手段としての検出スイッチ１３が配設される。また、収納部１１内には、スプリング１４が配設される。サブグリップ１０の側面には、突出自在の突起１６ａ及び１６ｂが設けられる。
【００１９】
図４において、サブグリップ１０を収納部１１内に挿入し、蓋部１５を摺動させて、収納部１１を閉塞させると、サブグリップ１０の収納状態（図２（Ｂ））となる。
【００２０】
蓋部１５を摺動させて、収納部１１を開くと、スプリング１４により付勢されて、サブグリップ１０がカメラ本体１の下面１ｄから突出する。そして、サブグリップ１０を少し引っ張り、サブグリップ１０の側面の突起１６ａ及び１６ｂを収納部１１の側面の凹部１２ａ及び１２ｂにそれぞれ係合させると、サブグリップ１０がカメラ本体１の下面１ｄから突出した状態でロックされる。これにより、サブグリップの突出状態（図２（Ａ））となる。
【００２１】
サブグリップ１０の突出状態にあるとき、サブグリップ１０を強く押し込めば、サブグリップ１０の側面の突起１６ａ及び１６ｂと収納部１１の側面の凹部１２ａ及び１２ｂとの係合が外れる。そして、サブグリップ１０を更に押し込み、サブグリップ１０を収納部１１内に挿入し、蓋部１５を摺動させて、収納部１１を閉塞させれば、サブグリップ１０の収納状態に戻すことができる。
【００２２】
図５は、本発明の第１の実施形態のディジタルスチルカメラの内部構成を示すブロック図である。
【００２３】
図５において、レンズ２を介された被写体の光学像が撮像素子５１に結像される。撮像素子５１は、その受光面に結像された被写体像光を光電変換する。撮像素子５１としては、ＣＣＤ（Ｃｈａｒｇｅ  Ｃｏｕｐｌｅｄ  Ｄｅｖｉｃｅ）撮像素子や、ＣＭＯＳ（Ｃｏｍｐｌｅｍｅｎｔａｒｙ  ＭＯＳ）撮像素子が用いられる。撮像素子の前面には、色フィルタが配列されている。色フィルタの配列の構成としては、Ｒ（赤）、Ｇ（緑）、Ｂ（青）の原色系フィルタを用いる場合と、Ｃｙ（シアン）、Ｍｇ（マゼンタ）、Ｙｅ（黄色）の補色系フィルタを用いる場合とがある。
【００２４】
撮像素子５１の出力信号は、ＣＤＳ（Ｃｏｒｒｅｌａｔｅｄ  Ｄｏｕｂｌｅ  Ｓａｍｐｌｉｎｇ）及びＡＧＣ（Ａｕｔｏｍａｔｉｃ  Ｇａｉｎ  Ｃｏｎｔｒｏｌ）回路５２を介して、Ａ／Ｄ（Ａｎａｌｏｇ  ｔｏ  Ｄｉｇｉｔａｌ）コンバータ５３に供給される。Ａ／Ｄコンバータ５３で画像信号がディジタル化される。Ａ／Ｄコンバータ５３の出力信号は、画像入力コントローラ５４を介して取り込まれる。
【００２５】
制御回路５５は、ディジタルスチルカメラの全体の制御を行っている。制御回路５５には、電源ボタン４、撮影モードボタン６ａ、再生モードボタン６ｂ、入力キー７、シャッターボタン３からの入力信号が与えられる。また、制御回路５５には、検出スイッチ１３から、サブグリップ１０が突出状態にあるか収納状態にあるかの検出信号が与えられる。
【００２６】
撮影モードボタン６ａ及び再生モードボタン６ｂを操作することにより、撮影モードと再生モードとが設定できる。撮影モードに設定されているときには、撮像素子５１の出力信号は、ＣＤＳ及びＡＧＣ回路５２を介して、Ａ／Ｄコンバータ５３でディジタル化された後に、プロセス回路５６に供給される。プロセス回路５６で、ガンマ補正、エッジ強調、ホワイトバランス等の画像処理が行われる。この画像信号は、メモリ５７に一旦取り込まれる。そして、この画像信号は、ビデオエンコーダ５８に供給される。ビデオエンコーダ５８で、コンポーネントカラービデオ信号が形成され、このカラービデオ信号がモニタ５に供給され、モニタ５に、撮影中のモニタ画像が映出される。
【００２７】
画像を撮影する場合には、シャッターボタン３が押される。シャッターボタン３が押されると、そのときの画像が撮像素子５１に取り込まれ、そして、このときの１画面分の画像信号がメモリ５７に蓄積される。
【００２８】
メモリ５７に取り込まれた１画面分の画像信号は、画像圧縮／伸長回路５９に供給される。画像圧縮／伸長回路５９で、画像データが圧縮符号化される。画像データの圧縮方式としては、例えば、ＪＰＥＧ（Ｊｏｉｎｔ  Ｐｈｏｔｏｇｒａｐｈｉｃ  Ｅｘｐｅｒｔｓ  Ｇｒｏｕｐ）が用いられる。ＪＰＥＧはＤＣＴ（Ｄｉｓｃｒｅｔｅ  Ｃｏｓｉｎｅ  Ｔｒａｎｓｆｏｒｍ）を用いて画像圧縮するための規格である。なお、画像データの圧縮方式は、ＪＰＥＧに限定されるものではない。
【００２９】
圧縮符号化された画像信号は、メモリコントローラ６０を介して、記録媒体６１に供給され、記録媒体６１に記録される。記録媒体６１としては、フラッシュメモリを使ったカード型の着脱自在のメモリが用いられる。
【００３０】
再生モードでは、記録媒体６１の画像ファイルが開かれ、画像データが読み出される。記録媒体６１から読み出された画像データは、画像圧縮／伸長回路５９に供給される。画像圧縮／伸長回路５９により、画像信号の伸長処理が行われる。画像圧縮／伸長回路５９の出力がビデオエンコーダ５８に供給される。ビデオエンコーダ５８の出力信号がモニタ５に供給され、モニタ５に再生画像が映出される。
【００３１】
本発明の第１の実施形態のディジタルスチルカメラの各部の電源は、バッテリ６２から電源を基に、電源回路６４で形成される。電源回路６４には、電源スイッチ６３を介して、バッテリ６２からの電源が供給される。この電源スイッチ６３は、電源ボタン４の操作に基づいて、制御回路５５により電源のオン／オフが行われる。また、本発明の第１の実施形態では、サブグリップ１の操作により、電源のオン／オフを行うことができる。
【００３２】
電源オフの状態では、電源スイッチ６３がオフされ、各部への電源の供給が止められ、制御回路５５がスリープモードとなる。電源オンの入力が与えられると、制御回路５５がノーマルモードに遷移し、制御回路５５により電源スイッチ６３がオンされ、各部への電源の供給が開始される。
【００３３】
前述したように、本発明の第１の実施形態では、サブグリップ１０の収納部１１に、検出スイッチ１３が配設される。この検出スイッチ１３は、サブグリップ１０が収納部１１を通過することで、電源のオン／オフが行われる。このため、検出スイッチ１３により、サブグリップ１０が突出状態にあるのか、収納状態にあるのかを検出することができる。
【００３４】
本発明の第１の実施形態では、サブグリップ１０の状態に応じて、以下のようにモードが設定される。
（１）電源オフの状態で、サブグリップ１０を突出状態にすると、電源がオンとなり、撮影モードに設定され、サブグリップ１０を収納状態にすると、電源がオフとなる。
（２）電源オンの状態で、サブグリップ１０を突出状態にすると、撮影モードに設定され、サブグリップ１０を収納状態にすると、再生モードに設定される。
（３）サブグリップ１０を突出状態にして撮影モードに設定した場合、再生モードボタン６ｂを押せば再生モードに遷移する。
【００３５】
図６は、サブグリップ１０を突出させて電源オンとする場合の処理を示すフローチャートである。
【００３６】
図６において、サブグリップ１０が突出されたかどうかが判断される（ステップＳ１）。サブグリップ１０が突出されたと判断されたら、電源がオンされ（ステップＳ２）、撮像モードに設定される。そして、サブグリップ１０が収納状態になったかどうかが判断される（ステップＳ４）。サブグリップ１０が収納状態になっていなければ、再生モードボタン６ｂが押されたかどうかが判断される（ステップＳ５）。再生モードボタン６ｂが押されていなければ、ステップＳ３にリターンされる。ステップＳ４で、サブグリップ１０が収納されると、電源オフとなる（ステップＳ６）。これにより、サブグリップ１０を突出させると、電源オンとなり、撮影モードに設定され、サブグリップ１０を収納状態にすると、電源がオフとなる。
【００３７】
ステップＳ５で、再生モードボタン６ｂが押されると、再生モードに設定される（ステップＳ７）。そして、撮影モードボタン６ａが押されたかどうかが判断される（ステップＳ８）。撮影モードボタン６ａが押されていなければ、サブグリップ１０が収納状態から突出状態に変わったかどうかが判断され（ステップＳ９）、サブグリップ１０が収納状態から突出状態に変わっていなければ、ステップＳ７にリターンされる。
【００３８】
ステップＳ８で、撮影モードボタン６ａが押されると、撮影モードに設定される（ステップＳ１０）。また、ステップＳ９で、サブグリップ１０が収納状態から突出状態に変わった場合にも、ステップＳ１０に行き、撮影モードに設定される。このように、再生モードの状態にあるときには、撮影モードボタン６ａを押すか、又は、サブグリップ１０が収納状態から突出状態にすることで、撮影モードに移行する。
【００３９】
ステップＳ１０で、撮影モードに設定されたら、再生モードボタン６ｂが押されたかどうかが判断される（ステップＳ１１）。再生モードボタン６ｂが押されていなければ、サブグリップ１０が突出状態から収納状態に変わったかどうかが判断される（ステップＳ１２）。サブグリップ１０が突出状態から収納状態に変わっていなければ、ステップＳ１０にリターンされる。
【００４０】
ステップＳ１１で、再生モードボタン６ｂが押されると、ステップＳ７に行き、再生モードに設定される。また、ステップＳ１２で、サブグリップ１０が突出状態から収納状態に変わった場合にも、ステップＳ７に行き、再生モードに設定される。このように、撮影モードの状態にあるときには、再生モードボタン６ｂを押すか、又は、サブグリップ１０が突出状態から収納状態にすることで、再生モードに移行する。
【００４１】
図７は、電源ボタン４により電源オンとした場合の処理を示すフローチャートである。
【００４２】
図７において、電源ボタン４が押されたかどうかが判断され（ステップＳ２１）、電源ボタン４が押されたら、電源がオンされる（ステップＳ２２）。電源オンしたときのモードが撮影モードか再生モードかが判断される（ステップＳ２３）。
【００４３】
電源オンしたときのモードが再生モードなら、再生モードに設定される（ステップＳ２４）。そして、撮影モードボタン６ａが押されたかどうかが判断される（ステップＳ２５）。撮影モードボタン６ａが押されていなければ、サブグリップ１０が収納状態から突出状態に変わったかどうかが判断される（ステップＳ２６）。サブグリップ１０が収納状態から突出状態に変わっていなければ、ステップＳ２４にリターンされる。
【００４４】
ステップＳ２５で、撮影モードボタン６ａが押されると、撮影モードに設定される（ステップＳ２７）。また、ステップＳ２６で、サブグリップ１０が収納状態から突出状態に変わった場合にも、ステップＳ２７に行き、撮影モードに設定される。このように、再生モードの状態にあるときには、撮影モードボタン６ａを押すか、又は、サブグリップ１０を収納状態から突出状態にすることで、撮影モードに移行する。
【００４５】
また、ステップＳ２３で、電源オンしたときのモードが撮影モードなら、ステップＳ２７で、撮影モードに設定される。
【００４６】
ステップＳ２７で、撮影モードに設定されたら、再生モードボタン６ｂが押されたかどうかが判断され（ステップＳ２８）、再生モードボタン６ｂが押されていなければ、サブグリップ１０が突出状態から収納状態に変わったかどうかが判断され（ステップＳ２９）、サブグリップ１０が突出状態から収納状態に変わっていなければ、ステップＳ２７にリターンされる。
【００４７】
ステップＳ２８で、再生モードボタン６ｂが押されると、ステップＳ２４に行き、再生モードに設定される。また、ステップＳ２９で、サブグリップ１０が突出状態から収納状態に変わった場合にも、ステップＳ２４に行き、再生モードに設定される。このように、撮影モードの状態にあるときには、再生モードボタン６ｂを押すか、又は、サブグリップ１０を突出状態から収納状態にすることで、撮影モードに移行する。
【００４８】
このように、本発明の第１の実施形態では、電源オフの状態で、サブグリップ１０を突出状態にすると、電源がオンとなり、撮影モードに設定され、サブグリップ１０を収納状態にすると、電源がオフとなる。また、本発明の第１の実施形態では、電源オンの状態で、サブグリップ１０を突出状態にすると、撮影モードに設定され、サブグリップ１０を収納状態にすると、再生モードに設定される。このため、サブグリップ１０を使った手振れの少ない安定した撮影を容易に行うことができる。
【００４９】
＜第２の実施形態＞
図８は、本発明の第２の実施形態を示すものである。
前述の第１の実施形態では、サブグリップ１０をカメラ本体１の収納部１１にスライドさせて収納させるようにしている。これに対して、この第２の実施形態では、カメラ本体１の下面１ｄにピン２１によりサブグリップ１０を回動自在に枢支するようにしている。
【００５０】
図８（Ａ）に示すように、サブグリップ１０を水平方向にすると、収納状態となる。図８（Ｂ）に示すように、サブグリップ１０を回動させると、サブグリップ１０は、突出状態となる。他の構成については、前述の第１の実施形態と同様であり、その説明を省略する。
【００５１】
本発明は、上述した実施形態に限定されるものではなく、本発明の要旨を逸脱しない範囲内で様々な変形や応用が可能である。
【産業上の利用可能性】
【００５２】
本発明は、ディジタルスチルカメラや、光学式スチルカメラ等、シャッターボタンを押して撮影を行うカメラ装置において、撮影時に安定してホールドでき、手振れの発生を防ぐようにしたものに適用することができる。
【図面の簡単な説明】
【００５３】
【図１】本発明の第１の実施形態の外観構成を示す斜視図である。
【図２】本発明の第１の実施形態におけるサブグリップの説明に用いる正面図である。
【図３】本発明の第１の実施形態におけるサブグリップの説明に用いる正面図である。
【図４】本発明の第１の実施形態におけるサブグリップの収納機構の説明に用いる断面斜視図である。
【図５】本発明の第１の実施形態の内部構成を示すブロック図である。
【図６】本発明の第１の実施形態の動作説明に用いるフローチャートである。
【図７】本発明の第１の実施形態の動作説明に用いるフローチャートである。
【図８】本発明の第２の実施形態におけるサブグリップの説明に用いる正面図である。
【符号の説明】
【００５４】
１：カメラ本体、
２：レンズ、
３：シャッターボタン、
４：電源ボタン、
５：モニタ、
６ａ：撮影モードボタン、
６ｂ：再生モードボタン、
１０：サブグリップ、
１１：収納部、
【図１】
2007271807.tif 000003
【図２】
2007271807.tif 000004
【図３】
2007271807.tif 000005
【図４】
2007271807.tif 000006
【図５】
2007271807.tif 000007
【図６】
2007271807.tif 000008
【図７】
2007271807.tif 000009
【図８】
2007271807.tif 000010